(57)【要約】【目的】重量の調整を簡単に行うことのできる履物を提供する。【構成】面ファスナ（１４）を下部に有するアッパー（１０）と、前記面ファスナ（１４）と接合可能な面ファスナ（２１）を上部に有するソール（２０）からなる。前記ソール（２０）には複数の空所（２２）が設けられていて、この空所の全部又は一部に選択的におもり（２３）を挿入したり、そこから取り出したりすることが可能である。前記空所（２２）の高さに応じて複数種類の高さを有するおもり（２３）を使用するのが好ましい。おもりは縦方向に収容することももできるし、横方向に収容することもできる。【選択図】　図２
2004141615.tif 000002
【特許請求の範囲】
【請求項１】
第１係合具（１４，１４Ａ）を下部に有するアッパー（１０，１０Ａ）と、前記第１係合具（１４，１４Ａ）と係脱可能な第２係合具（２１，２１Ａ）を上部に有するソール（２０；２０Ａ；２０Ｂ；２０Ｃ）からなり、
前記ソール（２０；２０Ａ；２０Ｂ；２０Ｃ）は複数の空所（２２；２２Ａ；２２Ｂ；２２Ｃ）を有し、この空所の全部又は一部に選択的におもり（２３；２３Ａ；２３Ｂ；２３Ｃ）を挿入したり、そこから取り出したりすることが可能である
ことを特徴とする重量調節の可能な履物。
【請求項２】
前記ソール（２０）の中に縦方向の空所（２２）が設けられている請求項１記載の履物。
【請求項３】
前記空所（２２）の縦方向高さに応じて複数種類の高さを有するおもり（２３）を使用する請求項２記載の履物。
【請求項４】
前記ソール（２０Ａ；２０Ｂ；２０Ｃ）の中に横方向の空所（２２Ａ；２２Ｂ；２２Ｃ）を設けた請求項１記載の履物。
【請求項５】
前記空所（２２Ａ；２２Ｂ；２２Ｃ）の横方向長さに応じて複数種類の長さを有するおもり（２３Ａ；２３Ｂ；２３Ｃ）を使用する請求項４記載の履物。
【請求項６】
前記ソール（２０Ａ；２０Ｂ）が２層（２５，２６；２５Ｂ，２６）からなり、この２層の間は第３，第４係合具（２９，３０）により相互に着脱可能であると共に、おもり（２３Ａ；２３Ｂ）のある層（２５；２５Ｂ）を完全に取り外すことのできる請求項１記載の履物。
【請求項７】
前記２層（２５，２６；２５Ｂ，２６）のうち、上層（２５；２５Ｂ）が第２係合具（２１Ａ）及び第３係合具（２９）を有する外皮（３１，３１Ｂ）に包まれている請求項６記載の履物。
【請求項８】
前記第１，第２係合具（１４，２１；１４Ａ，２１Ａ）及び前記第３，第４係合具（２９，３０）が面ファスナである請求項１ないし７のいずれかに記載の履物。
【請求項９】
前記アッパー（１０，１０Ａ）下部と前記ソール（２０，２０Ａ）上部に横方向移動防止手段が設けられている請求項１ないし７のいずれかに記載の履物。
【請求項１０】
横方向移動防止手段が前記アッパー（１０）下部と前記ソール（２０）上部のいずれかに設けられた隆起（２４）である請求項９記載の履物。
【請求項１１】
前記ソール（２０Ｂ）が前記外皮（３１Ｂ）に包まれたゴム板で、空所（２２Ｂ）が横方向の溝である請求項７記載の履物。
【請求項１２】
前記ソール（２０Ｃ）が上部表面に第２係合部（２１Ｃ）を有するゴム板で、空所（２２Ｃ）が横方向の溝である請求項１記載の履物。
【発明の詳細な説明】
【０００１】
【発明の属する技術分野】
本発明は重量調節可能な履物に関する。このような履物は、運動靴の場合、脚を鍛えるのに使用することができ、水中歩行用シューズの場合、水中ではおもりを付けることにより、浮力の影響を少なくして歩きやすくすると共に、プールサイドではおもりをとることにより地上で歩きやすくすることができる。
【０００２】
【従来の技術】
例えば、下記特許文献１では、靴の中敷き本体中に多数の空所を設け、その空所の中に鉛その他の重量資材を充填封入したトレーニング用シューズが公開されている。
【特許文献１】実開昭４９−４５７４２号公報
【０００３】
【発明が解決しようとする課題】
上記従来技術では、重量資材を封入してしまうため、重量の調整が不可能である。ここで、重量の調整とは、例えば、総重量を重くする、軽くする、つま先に特に負荷を与える、かかとに特に負荷を与えるというようなことである。
【０００４】
本発明では、このような重量の調整を簡単に行うことのできる履物を提供することを目的とする。
【０００５】
【課題を解決するための手段】
本発明の重量調節の可能な履物は、係合具を底部に有するアッパーと前記係合具と接合可能な係合具を上部に有するソールからなり、前記ソールは複数の空所を有し、この空所の全部又は一部に選択的におもりを挿入したり、そこから取り出したりすることが可能であることを特徴とする。
【０００６】
【発明の実施の態様】
履物は、比較的分厚いソールを有するものであれば、短靴、長靴、運動靴、作業靴、サンダル、水中歩行用シューズなど、どのようなものでもよい。
【０００７】
空所の設定場所はソール自体でもよいし、ソールの中に収容部を設けて、その中に設定してもよい。空所の向きはソールの縦方向又は横方向のどちらでもよい。空所の形状は穴又は溝であるのが一般的であり、例えば縦方向又は横方向の円柱穴・三角柱穴・四角柱穴、横方向の丸溝・四角溝などである。空所の設定個数は空所の大きさとソールの体積によって自ずから決定される事柄である。ソール自体に縦方向に設定する場合、５〜２０個程度が普通である。ソールの中に収容部を設けて、その中に横方向に設定する場合、２０〜４０個程度が好ましい。
【０００８】
おもりは前記空所の輪郭形状に適合していること及び重量物であることが必要である。普通は、鉄、鉛、真鍮などの金属が使用されるが、重量を重くしたプラスチックも可能である。プールで使用する場合はステンレス鋼が好ましい。磁石であってもよい。
【０００９】
空所の縦方向高さ又は横方向長さはソールの位置により異なるので、おもりも高さ又は長さを変えたものを数種類用意しておくのが好ましい。工場出荷時はもっときめ細かく高さ又は長さを変えてもよい。単に棒状のものを切断するだけであるので、あまり費用もかからず手間もとらない。
【００１０】
ソールを分離及び接合が可能な２層としておき、おもりをそのうちの一方に収容しておけば、おもりが全く必要ない場合、おもりのある層を完全に取り外すこともできる。例えば、プールでの水中歩行用シューズに使用する場合、水中ではおもりを付けることにより、浮力の影響を少なくして歩きやすくすると共に、プールサイドではおもりをとることにより地上で歩きやすくすることができる。２層のうち、上層は外皮に包むこともできる。
【００１１】
アッパーとソールの間及びソールの分離可能な２層の間を接合する係合具としては、面ファスナが代表的であるが、その他、スナップボタン、スライドファスナ、かぎホック等が使用可能である。
【００１２】
面ファスナとしては、例えば次のようなものを使用することができる。
（１）ポリエステル繊維、ポリアミド繊維、ポリオレフィン系繊維、塩化ビニル系繊維などから選ばれた合成繊維を編織して得た編織製基材の一面に鈎状、きのこ状、ループ状の係合素子群を有する織製または編製面ファスナ、
（２）　ポリエステル、ポリアミド、ポリオレフィン、塩化ビニル系重合体、ポリウレタンなどの熱可塑性樹脂、あるいは熱硬化性樹脂を成形して得たシート状基材の一面に鈎状、きのこ状、膨頭状、角状、棒状などの係合素子群を有する成形面ファスナ。
【００１３】
アッパーとソールは前記係合具でしっかりと係合されるが、念のために、前記アッパー下部と前記ソール上部に横方向移動防止手段を設けるのが好ましい。横方向移動防止手段としては、例えば前記アッパー下部と前記ソール上部のいずれかに設けられた隆起である。
【００１４】
【実施例】
以下、添付の図面に基づき、本発明の実施例を説明する。
【００１５】
＜第１実施例＞
図１は、本発明第１実施例のトレーニング用サンダルの斜視図である。図２に示すように、相互に分離可能なアッパー１０とソール２０からなる。
【００１６】
アッパー１０は、つま革１１とストラップ１２を有する底板１３からなる。底板底面には第１面ファスナ１４が取り付けられている。
【００１７】
ソール２０は厚いゴム板である。図示していないが、ミッドソールを入れて積層構造としてもよい。ソール上面には第２面ファスナ２１が取り付けられていて、アッパーの第１面ファスナ１４と接合及び分離が可能である。
【００１８】
ソールの上部周囲１４は隆起していて、それにより形成される浅い溝の中にアッパー下部（底板１３）が収容され、両者が容易に移動しないようになっている。反対に、アッパー下部を隆起させ、それにより形成される浅い溝の中にソール１０上部を収容してもよい。
【００１９】
図２及び図３に示すように、ソールには円柱状の空所２２が複数設けられている。ソールの厚みに応じて空所の高さは異なり、つま先側が浅く、かかと側が高い。図３に示すように、この空所に真鍮製の円柱状のおもり２３を挿入する。おもり２３は単に挿入するだけでよく、固定はしない。アッパー１０を取り付けたとき、アッパー底板１３が蓋となるので外れるようなことはない。おもり２３は、空所の高さに応じて３種類くらい用意しておくのが好ましい。
【００２０】
このサンダルは、ソールの空所の一部又は全部におもりを挿入し、ソールとアッパーを接合して、普通に使用する。重量が重すぎると感じたときにはアッパーを外し、おもりの内の幾つかを取り除くことができる。また、つま先だけを鍛えたいと思ったときにはつま先部だけにおもりを設定することができる。
【００２１】
＜第２実施例＞
図４は、本発明第２実施例の水中歩行用シューズの側面図である。図５に示すように、相互に分離可能なアッパー１０Ａとソール２０Ａからなる。
【００２２】
アッパー１０Ａ底面には第１の面ファスナ１４Ａが取り付けられている。ソール２０Ａ上面には第２の面ファスナ２１が取り付けられていて、アッパーの第１の面ファスナ１４Ａと接合及び分離が可能である。
【００２３】
ソールは上層２５と下層２６の２層からなる。上下層２５，２６は、上層２５の下面に位置する第３の面ファスナ２９及び下層２６の上面に位置する第４の面ファスナ３０が着脱可能に接合されている。
【００２４】
上層２５は、外皮３１と、その中に収容されたおもり収容部２８からなる。外皮３１は、上面中央に縦長の開口部２７を有する。開口部２７は面ファスナやスライドファスナで開閉可能である。図６に示すように開口部を開けると、調節自在なおもり２３Ａがおもり収容部２８に収容されているのが見える。
【００２５】
図７はそのおもり２３Ａを２本だけ取り出した状態である。おもりはおもり収容部２８に水平方向から挿入されている。おもり２３Ａはステンレス製の円柱を適当な長さに裁断したもので、全体としてソールの平面形状に適合するように長さが調整されている。おもり収容部２８はこの実施例では軟質多孔性のプラスチックである。自然に形成されている孔（空所）２２Ａを利用しておもりを突き刺すことにより、おもりは収容部に収容されている。おもり２３Ａは、収容部２８から引き抜くことにより簡単に外すこともできる。おもり収容部２８はおもりを整然と収容するのが目的であるから、この実施例以外の形状も可能である。例えば、最初からおもりの大きさの孔を射出成形法により成形したプラスチック成型体でもよい。
【００２６】
おもり２３Ａは必ずしもおもり収容部２８に全面的に収容される必要はない。むしろおもりを付けたり外したりするために若干露出させておく方が都合がよい（図７参照）。
【００２７】
下層２６はグリップ力のあるゴムなどにより製造し、プール底やプールサイドで滑りにくくしておくことが好ましい。
【００２８】
この水中歩行用シューズは、例えば、水中ではソール２０Ａとして上下層２５，２６を双方使用すると共に、このソール２０Ａとアッパー１０Ａを接合して使用する。このとき、おもりの入った上層２５により、浮力の影響を少なくして水中で歩きやすくなる。プールサイドに上がればおもりの入った上層２５を完全に取り去ってアッパー１０Ａと下層２６のみとし、地上で歩きやすくすることもできる。
【００２９】
＜第３実施例＞
図８は、本発明第３実施例に係る水中歩行用シューズのソールの変形例である。（ａ）は外皮３１Ｂの平面図、（ｂ）はおもり２３Ｂを備えたおもり収容部２８Ｂの平面図である。このソールは、第２実施例と同様、図５の上層２５Ｂとして使用することができる。
【００３０】
おもり収容部２８Ｂは厚いゴム板からなり、おもり２３Ｂ挿入用に多数の横方向溝（空所）２２Ｂが形成されている。おもり２３Ｂは第２実施例と同様にステンレス製円柱を適当な長さに裁断したものである。各溝（空所）の断面は逆Ω状であり、おもり２３Ｂを溝（空所）２２Ｂに押し込むことによって、埋められる（図８（ｃ）参照）。おもり２３Ｂを抜くときは、ゴム板を少し山形に曲げるようにすると取り出しやすい。
【００３１】
第３実施例におけるアッパー及びソールの下層は第２実施例と同様である。また、このソールの使用法も第２実施例と同様である。
【００３２】
＜第４実施例＞
図９は、本発明第４実施例に係る水中歩行用シューズのソールの変形例である。（ａ）はおもり２３Ｃを備えたおもり収容部２８Ｃの平面図、（ｂ）はその断面図である。第４実施例のソールは、第２、第３実施例と異なり、外皮（第２実施例の３１、第３実施例の３１Ｂ参照）及び下層（第２実施例の２６参照）を使用せず、アッパーに直接着脱可能に付着させると共に、ソール自体２０Ｃが直接接地する。その点では、第１実施例に近い。
【００３３】
ソール２０Ｃの構造は第３実施例と似ており、第３実施例のおもり収容部２８Ｂを外皮３１Ｂから露出させたものと考えることができる。その点では、第３実施例に近いので、第３実施例の符号のＢをＣに変えてそのまま使用している。ただし、アッパーと付着させるためにおもり収容部２８Ｃの表面は面ファスナ２１Ｃとなっており、ソール底面には滑り止め３２が付けられている点が異なる。
【００３４】
【発明の効果】
本発明によれば、運動靴などの場合、おもりの重量に耐えて脚を持ち上げることにより、脚を鍛えることができる。また、水中歩行用シューズの場合、プールの中と外とで使い分けることができる。しかも、類似の従来技術と異なり、履物の重量を自由に調整して設定できるので、各人にあった運動の質及び量を選ぶことができる。
【００３５】
さらに、本発明ではアッパー又はソールの取り替えが可能であるので、予めアッパーを何種類か用意しておき、衣服の色や柄に合わせて取り替えて使用することが可能である。
【図面の簡単な説明】
【図１】本発明第１実施例のトレーニング用サンダルの斜視図である。
【図２】図１のＩＩ−ＩＩ断面図である。
【図３】本発明第１実施例ののソールの斜視図である。
【図４】本発明第２実施例の水中歩行用シューズの側面図である。
【図５】本発明第２実施例のアッパーとソールを分離した状態を示す側面図（アッパー）、平面図（ソール上層）及び側面図（ソール下層）である。
【図６】本発明第２実施例のソール平面図である。
【図７】本発明第２実施例に係る、外皮の平面図（ａ）及びおもり収容部の平面図（ｂ）である。
【図８】本発明第３実施例に係る、外皮の平面図（ａ）おもり収容部の平面図（ｂ）及び断面図（ｃ）である。
【図９】本発明第４実施例に係る、おもり収容部の平面図（ｂ）及び断面図（ｂ）である。
【符号の説明】
１０．１０Ａ　　　　　　アッパー
１３　　　　　アッパー底板
１４，１４Ａ　　　　　　面ファスナ
２０，２０Ａ，２０Ｂ，２０Ｃ　　　　　　　　ソール
２１，２１Ａ，２１Ｂ，２１Ｃ　　　　　　　　面ファスナ
２２，２２Ａ，２２Ｂ，２２Ｃ　　　　　　　　空所
２３，２３Ａ，２３Ｂ，２３Ｃ　　　　　　　　おもり
２８，２８Ｂ，２８Ｃ　　　　　　　おもり収容部
【図１】
2004141615.tif 000003
【図２】
2004141615.tif 000004
【図３】
2004141615.tif 000005
【図４】
2004141615.tif 000006
【図５】
2004141615.tif 000007
【図６】
2004141615.tif 000008
【図７】
2004141615.tif 000009
【図８】
2004141615.tif 000010
【図９】
2004141615.tif 000011